(57)【要約】【課題】電力の変動を低減する技術を提供する。【解決手段】入力部１６４は、逆潮流する電力の計測結果を受けつける。制御部１５０は、受けつけた計測結果をもとに、逆潮流する電力を制御する。制御部１５０は、電力を逆潮流させている間に、（ｉ）計測結果がしきい値を超える場合に、負荷機器１１４に電力の消費を増加させ、あるいは蓄電システム１１８を充電させ、（ｉｉ）計測結果がしきい値を下回る場合に、負荷機器１１４に電力の消費を抑制させ、あるいは蓄電システム１１８を放電させる。【選択図】図３
2020010520.tif 000002
【特許請求の範囲】
【請求項１】
発電家から電力系統へ逆潮流する電力の計測結果を受けつける入力部と、
前記入力部において受けつけた計測結果をもとに、前記発電家から前記電力系統へ逆潮流する電力を制御する制御部とを備え、
前記制御部は、前記発電家から前記電力系統へ電力を逆潮流させている間に、
（ｉ）前記入力部において受けつけた計測結果が、ゼロより大きいしきい値を超える場合に、前記発電家に設置された負荷機器に電力の消費を増加させ、あるいは前記発電家に設置された蓄電システムを充電させ、
（ｉｉ）前記入力部において受けつけた計測結果が前記しきい値を下回る場合に、前記負荷機器に電力の消費を抑制させ、あるいは前記蓄電システムを放電させる、
制御システム。
【請求項２】
発電家から電力系統へ逆潮流する電力量の計測結果を受けつける入力部と、
前記入力部において受けつけた計測結果をもとに、前記発電家から前記電力系統へ逆潮流する電力量を制御する制御部とを備え、
前記制御部は、前記発電家から前記電力系統へ電力を逆潮流させている間に、
（ｉ）前記入力部において受けつけた計測結果が、ゼロより大きいしきい値を超えうる場合に、前記発電家に設置された負荷機器に電力の消費を増加させ、あるいは前記発電家に設置された蓄電システムを充電させ、
（ｉｉ）前記入力部において受けつけた計測結果が前記しきい値を下回りうる場合に、前記負荷機器に電力の消費を抑制させ、あるいは前記蓄電システムを放電させる、
制御システム。
【請求項３】
前記発電家は、再生可能エネルギーを用いて電力を発生させる電源装置を備え、
所定の時間帯における前記電源装置の発電電力量をもとに導出された売電可能容量を取得する取得部と、
前記取得部において取得した前記売電可能容量をもとに、前記制御部において使用される前記しきい値を決定する決定部と、
をさらに備える請求項１または２に記載の制御システム。
【請求項４】
前記取得部において取得される前記売電可能容量には、前記所定の時間帯における前記蓄電システムの蓄電容量も反映されている、
請求項３に記載の制御システム。
【請求項５】
電力取引市場を仲介するサーバと通信する通信部をさらに備え、
前記通信部は、希望する単位電力量あたりの価格と、前記取得部において取得した前記売電可能容量とが含まれた入札情報を前記サーバに送信する、
請求項３または４に記載の制御システム。
【請求項６】
前記価格の入力を受けつける受付部をさらに備える、
請求項５に記載の制御システム。
【請求項７】
前記制御部は、
前記通信部が、前記入札情報を前記サーバに送信した後、前記サーバから落札情報を受信した場合に、前記入力部において受けつけた計測結果と、前記決定部において決定した前記しきい値とを使用した制御を実行する、
請求項５または６に記載の制御システム。
【請求項８】
発電家から電力系統へ逆潮流する電力の計測結果を受けつけるステップと、
受けつけた計測結果をもとに、前記発電家から前記電力系統へ逆潮流する電力を制御するステップとを備え、
前記制御するステップは、前記発電家から前記電力系統へ電力を逆潮流させている間に、
（ｉ）受けつけた計測結果が、ゼロより大きいしきい値を超える場合に、前記発電家に設置された負荷機器に電力の消費を増加させ、あるいは前記発電家に設置された蓄電システムを充電させ、
（ｉｉ）受けつけた計測結果が前記しきい値を下回る場合に、前記負荷機器に電力の消費を抑制させ、あるいは前記蓄電システムを放電させる、
制御方法。
【請求項９】
発電家から電力系統へ逆潮流する電力量の計測結果を受けつけるステップと、
受けつけた計測結果をもとに、前記発電家から前記電力系統へ逆潮流する電力量を制御するステップとを備え、
前記制御するステップは、前記発電家から前記電力系統へ電力を逆潮流させている間に、
（ｉ）受けつけた計測結果が、ゼロより大きいしきい値を超えうる場合に、前記発電家に設置された負荷機器に電力の消費を増加させ、あるいは前記発電家に設置された蓄電システムを充電させ、
（ｉｉ）受けつけた計測結果が前記しきい値を下回りうる場合に、前記負荷機器に電力の消費を抑制させ、あるいは前記蓄電システムを放電させる、
制御方法。
【発明の詳細な説明】
【技術分野】
【０００１】
本開示は、電力を制御する制御システムおよび制御方法に関する。
【背景技術】
【０００２】
太陽光発電装置のような再生可能エネルギーを用いて発電する発電装置を電力系統に接続することによって、発電装置において発電された電力が電力会社に買い取られる。発電装置において発電される電力は、自然環境の影響を受けて変動する。このような変動によって、発電装置において発電される電力を蓄電池に適切に充電することが困難にある。そのため、例えば、発電装置の予測発電電力値と、発電装置の発電電力の許容上限値とをもとに、蓄電池に充電させる電力が決定される（例えば、特許文献１参照）。
【先行技術文献】
【特許文献】
【０００３】
【特許文献１】国際公開第１７／０６０９５７号
【発明の概要】
【発明が解決しようとする課題】
【０００４】
発電した電力を提供可能な施設（以下、「発電家」という）から売電された電力は、小売電気事業者あるいは送配電事業者によって購入される。一方、発電家と、電力の供給を受ける施設（以下、「需要家」という）との間で電力を直接売買することが検討されている。このような状況下において、発電家から提供される電力と、需要家で消費される電力との少なくとも一方が変動すると、この変動を調整することが求められる。
【０００５】
本開示はこうした状況に鑑みなされたものであり、その目的は、電力の変動を低減する技術を提供することにある。
【課題を解決するための手段】
【０００６】
上記課題を解決するために、本開示のある態様の制御システムは、発電家から電力系統へ逆潮流する電力の計測結果を受けつける入力部と、入力部において受けつけた計測結果をもとに、発電家から電力系統へ逆潮流する電力を制御する制御部とを備える。制御部は、発電家から電力系統へ電力を逆潮流させている間に、（ｉ）入力部において受けつけた計測結果が、ゼロより大きいしきい値を超える場合に、発電家に設置された負荷機器に電力の消費を増加させ、あるいは発電家に設置された蓄電システムを充電させ、（ｉｉ）入力部において受けつけた計測結果がしきい値を下回る場合に、負荷機器に電力の消費を抑制させ、あるいは蓄電システムを放電させる。
【０００７】
本開示の別の態様もまた、制御システムである。この制御システムは、発電家から電力系統へ逆潮流する電力量の計測結果を受けつける入力部と、入力部において受けつけた計測結果をもとに、発電家から電力系統へ逆潮流する電力量を制御する制御部とを備える。制御部は、発電家から電力系統へ電力を逆潮流させている間に、（ｉ）入力部において受けつけた計測結果が、ゼロより大きいしきい値を超えうる場合に、発電家に設置された負荷機器に電力の消費を増加させ、あるいは発電家に設置された蓄電システムを充電させ、（ｉｉ）入力部において受けつけた計測結果がしきい値を下回りうる場合に、負荷機器に電力の消費を抑制させ、あるいは蓄電システムを放電させる。
【０００８】
本開示のさらに別の態様は、制御方法である。この方法は、発電家から電力系統へ逆潮流する電力の計測結果を受けつけるステップと、受けつけた計測結果をもとに、発電家から電力系統へ逆潮流する電力を制御するステップとを備える。制御するステップは、発電家から電力系統へ電力を逆潮流させている間に、（ｉ）受けつけた計測結果が、ゼロより大きいしきい値を超える場合に、発電家に設置された負荷機器に電力の消費を増加させ、あるいは発電家に設置された蓄電システムを充電させ、（ｉｉ）受けつけた計測結果がしきい値を下回る場合に、負荷機器に電力の消費を抑制させ、あるいは蓄電システムを放電させる。
【０００９】
本開示のさらに別の態様もまた、制御方法である。この方法は、発電家から電力系統へ逆潮流する電力量の計測結果を受けつけるステップと、受けつけた計測結果をもとに、発電家から電力系統へ逆潮流する電力量を制御するステップとを備える。制御するステップは、発電家から電力系統へ電力を逆潮流させている間に、（ｉ）受けつけた計測結果が、ゼロより大きいしきい値を超えうる場合に、発電家に設置された負荷機器に電力の消費を増加させ、あるいは発電家に設置された蓄電システムを充電させ、（ｉｉ）受けつけた計測結果がしきい値を下回りうる場合に、負荷機器に電力の消費を抑制させ、あるいは蓄電システムを放電させる。
【００１０】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【００１１】
本開示によれば、電力の変動を低減できる。
【図面の簡単な説明】
【００１２】
【図１】実施例１に係る分散電源取引市場システムの構成を示す図である。
【図２】図１の分散電源取引市場システムによる取引手順を示すフローチャートである。
【図３】図１の発電家の構成を示す図である。
【図４】図１の需要家の構成を示す図である。
【図５】図１の分散電源取引市場システムによる市場参加処理手順を示すシーケンス図である。
【図６】図３の記憶部に記憶されるテーブルのデータ構造を示す図である。
【図７】図４の記憶部に記憶されるテーブルのデータ構造を示す図である。
【図８】図１の分散電源取引市場システムによる入札処理手順を示すシーケンス図である。
【図９】図１のサーバの構成を示す図である。
【図１０】図１０（ａ）−（ｂ）は、図９の記憶部に記憶されるデータベースのデータ構造を示す図である。
【図１１】図９の処理部における処理の概要を示す図である。
【図１２】図１の分散電源取引市場システムによる落札処理手順を示すシーケンス図である。
【図１３】図１の分散電源取引市場システムによる電力制御・精算処理手順を示すシーケンス図である。
【発明を実施するための形態】
【００１３】
（実施例１）
本開示の実施例を具体的に説明する前に、本実施例の概要を説明する。実施例１は、発電家と需要家とを含む分散電源取引市場システムに関する。発電家と需要家は、例えば、住宅、事務所、店舗、工場、公園などを含む。発電家は、再生可能エネルギーあるいは燃料電池を用いて発電した電力を電力系統に逆潮流することによって、電力を売電可能な施設である。以下では、再生可能エネルギーあるいは燃料電池の代表として太陽電池を使用して説明するが、太陽電池に限定されない。一方、需要家は、電力系統から電力を順潮流することによって、電力を買電可能な施設である。
【００１４】
分散電源取引市場では、発電家と需要家との間で電力が直接売買される。発電家において発電される電力は、太陽電池による発電の変動の影響を受けて変動するとともに、需要家において消費される電力は、需要家内の負荷機器の稼働状況の影響を受けて変動する。これらの電力の変動が大きくなると、電力系統における変動も大きくなり、電力系統が不安定になるおそれが生じる。このような変動に対して、例えば、送配電事業者あるいは小売電気事業者は、変動の調整責務を負う。送配電事業者あるいは小売電気事業者における負担を抑制するために、発電家あるいは需要家において電力の変動を低減することが求められる。
【００１５】
これに対応するために、本実施例における発電家では、蓄電システムを含む制御可能負荷を活用することによって、例えば、３０分等のスロット単位で売った電力を安定的に出力し続ける。需要家では、蓄電システムを含む制御可能負荷を活用することによって、スロット単位で買った電力を安定的に消費し続ける。ここで、安定的とは、略一定を意味し、略とは、誤差の範囲で同じことを意味する。
【００１６】
図１は、分散電源取引市場システム１０００の構成を示す。分散電源取引市場システム１０００は、発電家１００、需要家２００、サーバ３００、送配電事業者４００、小売電気事業者５００を含む。ここでは、発電家１００および需要家２００の数は「１」とされているが、これらの数は「１」に限定されない。
【００１７】
発電家１００は、例えば、一戸建ての住宅、マンションなどの集合住宅、コンビニエンスストアまたはスーパーマーケットなどの店舗、ビルなどの商用施設、工場であり、電力会社等に電力を提供している施設である。発電家１００には、太陽電池システムが設置される。太陽電池システム以外の再生可能エネルギー発電装置、燃料電池システム等が設置されてもよい。太陽電池システムは、電力系統に接続されることによって、発電した電力を電力系統に出力する。その結果、発電した電力は、送配電事業者４００あるいは小売電気事業者５００に売電可能である。また、発電家１００には、空調機器（エアコン）、テレビジョン受信装置（テレビ）、照明装置、蓄電システム、ヒートポンプ給湯機等の負荷機器が設置される。さらに、発電家１００には、蓄電システムが設置される。
【００１８】
需要家２００は、発電家１００と同様に、例えば、一戸建ての住宅、マンションなどの集合住宅、コンビニエンスストアまたはスーパーマーケットなどの店舗、ビルなどの商用施設、工場である。需要家２００は、電力会社等からの電力の供給を受けている施設である。需要家２００には、前述の負荷機器が設置される。負荷機器は、電力系統に接続されることによって、商用電力の供給を受けて、電力を消費する。負荷機器として、電力使用の削減量が比較的大きいと想定される負荷機器が有用であるが、削減量があまり大きくないと想定される負荷機器であってもよい。また、需要家２００には、蓄電システムも設置される。さらに、需要家２００には、太陽電池システムが設置されてもよく、設置されなくてもよい。
【００１９】
発電家１００と需要家２００は、同一の施設であってもよく、その場合、所定のタイミングにおいて当該施設は発電家１００となり、別のタイミングにおいて当該施設は需要家２００となる。ここでは、説明を明瞭にするために、発電家１００と需要家２００とを分ける。
【００２０】
送配電事業者４００と小売電気事業者５００は電力会社と総称される。送配電事業者４００は、供給区域内で送電線、変電所などを維持および運用し、他者から受け取った電気を他者に送り届ける。例えば、送配電事業者４００は、発電家１００において発電された電力を受け取る。小売電気事業者５００は、一般の需要に応じ電気を供給する。例えば、小売電気事業者５００は、需要家２００に電力を供給する。小売電気事業者５００は、発電家１００において発電された電力を受け取ってもよい。送配電事業者４００と小売電気事業者５００は、同一の電力会社に含まれてもよいが、別の事業者であってもよい。
【００２１】
サーバ３００は、分散電源取引市場において、発電家１００と需要家２００との間での電力の売買を仲介する。サーバ３００は、発電家１００および需要家２００と接続され、それらとの間で通信を実行する。サーバ３００は、例えば、３０分間を１つのスロットとして規定しており、各スロットに対する入札情報を発電家１００および需要家２００から受信する。入札情報については後述するが、発電家１００からの入札情報には売電の条件が示され、需要家２００からの入札情報には買電の条件が示される。サーバ３００は、発電家１００および需要家２００からの入札情報をマッチングさせることによって、所定のスロットにおいて売電させる発電家１００と買電させる需要家２００とを決定する。サーバ３００は、決定した情報が含まれた落札情報を発電家１００および需要家２００に送信する。受信した落札情報にしたがって、発電家１００は所定のスロットにおいて需要家２００に電力を提供し、需要家２００は所定のスロットにおいて発電家１００から電力の供給を受ける。
【００２２】
図２は、分散電源取引市場システム１０００による取引手順を示すフローチャートである。発電家１００および需要家２００は、分散電源取引市場への参加処理を実行する（Ｓ１０）。この処理によって、分散電源取引市場における電力の売買への参加が可能になる。発電家１００および需要家２００は、入札処理を実行する（Ｓ１２）。その際、発電家１００は、所定のスロットにおける売電可能容量と希望の売電価格を決定して入札するとともに、需要家２００は、所定のスロットにおける買電可能容量と希望の買電価格を決定して入札する。サーバ３００は、これらの入札を受け入れる。
【００２３】
サーバ３００は、落札処理を実行する（Ｓ１４）。その際、サーバ３００は、電力の売買について発電家１００と需要家２００とのマッチング処理を実行し、その結果を発電家１００および需要家２００に通知する。発電家１００および需要家２００は、サーバ３００からの通知を受けると電力制御処理を実行する（Ｓ１６）。その際、発電家１００は所定のスロットにおいて逆潮流の電力を制御し、需要家２００は所定のスロットにおいて順潮流の電力を制御する。発電家１００、需要家２００、サーバ３００は精算処理を実行する（Ｓ１８）。ここで、電力の売買実績が確認され、電力売買金額の支払いがなされる。
【００２４】
以下では、分散電源取引市場システム１０００の処理を、（１）発電家１００および需要家２００の構成、（２）市場参加処理、（３）入札処理、（４）落札処理、（５）電力制御・精算処理の順に説明する。
【００２５】
（１）発電家１００および需要家２００の構成
図３は、発電家１００の構成を示す。発電家１００には、電力系統１０、電力メータ１１０、分電盤１１２、負荷機器１１４、太陽電池システム１１６、蓄電システム１１８、制御システム１２０、操作装置１２２が設置される。太陽電池システム１１６は、ＰＶ（Ｐｈｏｔｏｖｏｌｔａｉｃｓ）１３０、ＰＶ用ＤＣ（Ｄｉｒｅｃｔ  Ｃｕｒｒｅｎｔ）／ＤＣ１３２、ＰＶ用ＤＣ／ＡＣ（Ａｌｔｅｒｎａｔｉｎｇ  Ｃｕｒｒｅｎｔ）１３４を含む。蓄電システム１１８は、ＳＢ（Ｓｔｏｒａｇｅ  Ｂａｔｔｅｒｙ）１４０、ＳＢ用ＤＣ／ＤＣ１４２、双方向ＤＣ／ＡＣインバータ１４４、制御部１４６を含む。制御システム１２０は、第１通信部１４８、制御部１５０、記憶部１５２、導出部１５４、取得部１５６、決定部１５８、受付部１６０、第２通信部１６２、入力部１６４を含み、制御部１５０は、処理部１７０を含む。また、制御システム１２０は、ネットワーク２０を介して、発電家１００外のサーバ３００に接続される。太陽電池システム１１６と蓄電システム１１８は一体的なシステムであってもよい。発電家１００は、前述のごとく、住宅、店舗、商用施設、工場等であるが、ここでは、住宅あるいは集合住宅を想定する。電力系統１０は電力会社等によって提供される。
【００２６】
電力メータ１１０は、電力系統１０に接続されたデジタル式の電力量計であり、例えばスマートメータである。電力メータ１１０は、電力系統１０から入ってくる順潮流の電力量、あるいは電力系統１０へ出て行く逆潮流の電力量とを計測可能である。前者が買電電力量あるいは順潮流電力量に相当し、後者が売電電力量あるいは逆潮流電力量に相当する。また、電力メータ１１０は、順潮流の電力あるいは逆潮流の電力を計測可能である。電力メータ１１０は、通信機能を有し、制御システム１２０と通信可能であり、計測結果を制御システム１２０に送信する。計測結果には、電力量と電力の少なくとも１つが含まれる。電力メータ１１０は、分電盤１１２に内蔵されてもよい。
【００２７】
分電盤１１２は、電力メータ１１０に接続され、電力メータ１１０を介して電力系統１０に接続される。また、分電盤１１２は、負荷機器１１４を接続し、負荷機器１１４に電力を供給する。負荷機器１１４は分電盤１１２から供給される電力を消費する機器である。負荷機器１１４は、空調機器（エアコン）、テレビジョン受信装置（テレビ）、照明装置、冷蔵庫等の機器を含む。ここでは、分電盤１１２に１つの負荷機器１１４が接続されているが、分電盤１１２に複数の負荷機器１１４が接続されてもよい。負荷機器１１４は、通信機能を有し、制御システム１２０と通信可能である。そのため、負荷機器１１４は、制御システム１２０による制御が可能な負荷であるといえる。
【００２８】
ＰＶ１３０は、太陽電池であり、再生可能エネルギー発電装置である。ＰＶ１３０は、光起電力効果を利用し、光エネルギーを直接電力に変換する。太陽電池として、シリコン太陽電池、化合物半導体などを素材にした太陽電池、色素増感型（有機太陽電池）等が使用される。再生可能エネルギーである太陽光の強さは天候および時刻とともに変動するので、ＰＶ１３０において発電される電力も変動する。ＰＶ１３０は、ＰＶ用ＤＣ／ＤＣ１３２に接続され、発電した直流電力をＰＶ用ＤＣ／ＤＣ１３２に出力する。
【００２９】
ＰＶ用ＤＣ／ＤＣ１３２は、ＤＣ−ＤＣコンバータであり、ＰＶ１３０から出力される直流電力を、所望の電圧値の直流電力に変換し、変換した直流電力をＰＶ用ＤＣ／ＡＣ１３４に出力する。ＰＶ用ＤＣ／ＤＣ１３２は、例えば、昇圧チョッパで構成される。ＰＶ用ＤＣ／ＤＣ１３２は、ＰＶ１３０の出力電力が最大になるようＭＰＰＴ(Ｍａｘｉｍｕｍ  Ｐｏｗｅｒ  Ｐｏｉｎｔ  Ｔｒａｃｋｉｎｇ)制御される。ＰＶ用ＤＣ／ＡＣ１３４は、ＤＣ−ＡＣインバータであり、ＰＶ用ＤＣ／ＤＣ１３２から出力される直流電力を交流電力に変換し、交流電力を分電盤１１２に出力する。ここで、ＰＶ１３０、ＰＶ用ＤＣ／ＤＣ１３２、ＰＶ用ＤＣ／ＡＣ１３４は一体的に形成されてもよく、その場合であっても、これを太陽電池システム１１６と呼ぶ。太陽電池システム１１６は、通信機能を有してもよく、当該通信機能によって制御システム１２０と通信可能であってもよい。
【００３０】
ＳＢ１４０は、電力を充放電可能な蓄電池であり、リチウムイオン蓄電池、ニッケル水素蓄電池、鉛蓄電池、電気二重層キャパシタ、リチウムイオンキャパシタ等を含む。ＳＢ１４０はＳＢ用ＤＣ／ＤＣ１４２に接続される。ＳＢ用ＤＣ／ＤＣ１４２は、ＤＣ−ＤＣコンバータであり、ＳＢ１４０側の直流電力と、双方向ＤＣ／ＡＣインバータ１４４側の直流電力との間の変換を実行する。
【００３１】
双方向ＤＣ／ＡＣインバータ１４４は、ＳＢ用ＤＣ／ＤＣ１４２と分電盤１１２との間に接続される。双方向ＤＣ／ＡＣインバータ１４４は、分電盤１１２からの交流電力を直流電力に変換し、変換した直流電力をＳＢ用ＤＣ／ＤＣ１４２に出力する。また、双方向ＤＣ／ＡＣインバータ１４４は、ＳＢ用ＤＣ／ＤＣ１４２からの直流電力を交流電力に変換し、変換した交流電力を分電盤１１２に出力する。つまり、双方向ＤＣ／ＡＣインバータ１４４によってＳＢ１４０は充放電される。このような双方向ＤＣ／ＡＣインバータ１４４の制御は制御部１４６によってなされる。制御部１４６は、通信機能を有し、制御システム１２０と通信可能である。ＳＢ１４０、ＳＢ用ＤＣ／ＤＣ１４２、双方向ＤＣ／ＡＣインバータ１４４、制御部１４６は１つの筐体に格納されてもよく、その場合であっても、これを蓄電システム１１８と呼ぶ。
【００３２】
制御システム１２０は、電力管理システムの処理を実行するためのコンピュータであり、例えば、ＨＥＭＳ（Ｈｏｍｅ  Ｅｎｅｒｇｙ  Ｍａｎａｇｅｍｅｎｔ  Ｓｙｓｔｅｍ）コントローラとしての機能を有する。制御システム１２０の第１通信部１４８は、発電家１００内の電力メータ１１０、負荷機器１１４、蓄電システム１１８と通信可能である。例えば、第１通信部１４８は、負荷機器１１４、蓄電システム１１８との通信を実行するためにＨＡＮ（Ｈｏｍｅ  Ａｒｅａ  Ｎｅｔｗｏｒｋ）を使用し、電力メータ１１０との通信を実行するためにＨＡＮ以外の通信システムを使用する。第１通信部１４８は、分電盤１１２、太陽電池システム１１６と通信可能であってもよい。制御部１５０は、発電家１００から電力系統１０へ逆潮流する電力を制御する。また、制御システム１２０の第２通信部１６２は、無線通信あるいは有線通信によりネットワーク２０に接続する。このような第２通信部１６２は、ネットワーク２０を介してサーバ３００（図示せず）と通信可能である。制御システム１２０の構成および処理については後述する。
【００３３】
図４は、需要家２００の構成を示す。需要家２００には、電力系統１０、電力メータ２１０、分電盤２１２、負荷機器２１４、蓄電システム２１８、制御システム２２０、操作装置２２２が設置される。蓄電システム２１８は、ＳＢ２４０、ＳＢ用ＤＣ／ＤＣ２４２、双方向ＤＣ／ＡＣインバータ２４４、制御部２４６を含む。制御システム２２０は、第１通信部２４８、制御部２５０、記憶部２５２、導出部２５４、取得部２５６、決定部２５８、受付部２６０、第２通信部２６２、入力部２６４を含み、制御部２５０は、処理部２７０を含む。また、制御システム２２０は、ネットワーク２０を介して、需要家２００外のサーバ３００に接続される。
【００３４】
ここで、電力メータ２１０は電力メータ１１０に対応し、分電盤２１２は分電盤１１２に対応し、負荷機器２１４は負荷機器１１４に対応し、蓄電システム２１８は蓄電システム１１８に対応する。制御システム２２０は制御システム１２０に対応し、操作装置２２２は操作装置１２２に対応する。ＳＢ２４０はＳＢ１４０に対応し、ＳＢ用ＤＣ／ＤＣ２４２はＳＢ用ＤＣ／ＤＣ１４２に対応し、双方向ＤＣ／ＡＣインバータ２４４は双方向ＤＣ／ＡＣインバータ１４４に対応し、制御部２４６は制御部１４６に対応する。第１通信部２４８は第１通信部１４８に対応し、制御部２５０は制御部１５０に対応し、記憶部２５２は記憶部１５２に対応し、導出部２５４は導出部１５４に対応し、取得部２５６は取得部１５６に対応し、決定部２５８は決定部１５８に対応する。受付部２６０は受付部１６０に対応し、第２通信部２６２は第２通信部１６２に対応し、入力部２６４は入力部１６４に対応する。前述のごとく、発電家１００と需要家２００は、同一の施設であってもよいが、ここでは、別の構成として示す。制御部２５０は、電力系統１０から需要家２００へ順潮流する電力を制御する。
【００３５】
（２）市場参加処理
市場参加処理は、発電家１００および需要家２００が分散電源取引市場において電力を売買する前に、分散電源取引市場への参加を登録するための処理である。図５は、分散電源取引市場システム１０００による市場参加処理手順を示すシーケンス図である。発電家１００および需要家２００は、小売電気事業者５００と契約する（Ｓ１００）。小売電気事業者５００は、発電家１００および需要家２００に電力供給を開始し（Ｓ１０２）、電力を供給する（Ｓ１０４）。発電家１００において負荷機器１１４、太陽電池システム１１６、蓄電システム１１８、制御システム１２０の導入がなされ、需要家２００において負荷機器２１４、蓄電システム２１８、制御システム２２０の導入がなされる（Ｓ１０６）。これに続いて、発電家１００では送配電事業者４００との契約がなされる。
【００３６】
発電家１００および需要家２００は、分散電源取引市場への参加を申し込む（Ｓ１０８）と、分散電源取引市場への参加申請を小売電気事業者５００に通知する（Ｓ１１０）。小売電気事業者５００は、参加申請の通知を受けつける（Ｓ１１２）。小売電気事業者５００は、分散電源取引市場への参加を承認し（Ｓ１１４）、参加承認を発電家１００および需要家２００に通知する（Ｓ１１６）。発電家１００および需要家２００は、小売電気事業者５００からの参加承認を添付しながら、分散電源取引市場への参加を申し込む（Ｓ１１８）と、分散電源取引市場への参加申請をサーバ３００に通知する（Ｓ１２０）。サーバ３００は、参加申請の通知を受けつける（Ｓ１２２）。サーバ３００は、分散電源取引市場への参加を承認し（Ｓ１２４）、参加承認を発電家１００および需要家２００に通知する（Ｓ１２６）。発電家１００および需要家２００は、サーバ３００からの参加承認を受けつけると、分散電源取引市場への参加を開始する（Ｓ１２８）。
【００３７】
（３）入札処理
前述のごとく、例えば、３０分間を単位とするスロットが規定されており、スロット毎に電力の売買が発電家１００と需要家２００との間でなされる。入札処理は、電力の売買の前に発電家１００および需要家２００においてなされる処理であり、かつ所定のスロットにおける電力の売買の意志を示すための処理である。その際、発電家１００における売電の条件が示された入札情報が発電家１００からサーバ３００に送信されるとともに、需要家２００における買電の条件が示された入札情報が需要家２００からサーバ３００に送信される。
【００３８】
図３における制御システム１２０の第２通信部１６２は、ネットワーク２０を介して天気予報サーバ（図示せず）と通信し、天気予報サーバから天気予報情報を受信する。天気予報情報には、各地の天気予報とともに、降水確率が含まれる。天気予報情報に気温等の情報が含まれてもよい。第２通信部１６２は、天気予報情報を制御部１５０に出力し、制御部１５０は、天気予報情報を導出部１５４に出力する。導出部１５４は、天気予報情報を受けつけると、発電家１００が存在する地域に対応した天気予報と降水確率とを天気予報情報から取得する。また、導出部１５４は、カレンダー情報を管理しており、現在の「月」を日付情報として取得する。導出部１５４は、制御部１５０を介して記憶部１５２にアクセスすることによって、取得した天気予報と降水確率と日付情報をもとに、ＰＶ１３０の発電電力量の情報を取得する。
【００３９】
記憶部１５２は、天気予報と降水確率と日付情報と、ＰＶ１３０の発電電力量との対応関係が示されたテーブルを記憶する。図６は、記憶部１５２に記憶されるテーブルのデータ構造を示す。ここでは、一例として、天気予報が「はれ」であり、降水確率が「０％」であり、日付情報が「５月」である場合の発電電力量が示されたテーブルを示す。記憶部１５２は、さまざまな天気予報、降水確率、日付情報の組合せのそれぞれに対してもテーブルを記憶しているので、記憶部１５２は複数のテーブルを記憶する。複数のテーブルのうち、導出部１５４において取得された天気予報と降水確率と日付情報の組合せに対応したテーブルが選択される。各テーブルには、複数のスロットのそれぞれにおける発電電力量の最大値と最小値とが示される。例えば、５時００分から開始されるスロットには、発電電力量の最大値「Ａ１」と発電電力量の最小値「Ｂ１」とが示される。記憶部１５２に記憶されるテーブルのデータ構造は、図６に限定されない。例えば、テーブルを選択するためのパラメータに温度が追加されてもよいし、日付情報が「５月」ではなく、「５月１週目」のように細分化されてもよい。図３に戻る。
【００４０】
導出部１５４は、記憶部１５２から取得した発電電力量の情報から、現在の時刻をもとに、入札を希望するスロットの発電電力量の最大値と最小値とを抽出する。ここで、入札を希望するスロットは、例えば、現在の時刻から最も早く到来するスロットとされる。導出部１５４は、抽出した発電電力量の最大値と最小値との平均を計算することによって、当該スロットにおける発電電力量を導出する。導出部１５４は、平均以外の統計処理を実行してもよい。
【００４１】
また、導出部１５４は、制御部１５０、第１通信部１４８を介して蓄電システム１１８の制御部１４６から、ＳＢ１４０の蓄電容量に関する情報を受けつける。蓄電容量に関する情報の一例は、ＳＢ１４０に充電されている容量に関する情報であり、ＳｏＣ（Ｓｔａｔｅ  ｏｆ  ｃｈａｒｇｅ）であってもよい。導出部１５４は、ＳＢ１４０の蓄電容量と、ＳＢ１４０の容量の１／２の値との差異を計算する。差異が０以上である場合、つまりＳＢ１４０に充電されている容量が、ＳＢ１４０の容量の１／２以上である場合、導出部１５４は、発電電力量に差異の絶対値を加算することによって売電可能容量を導出する。一方、差異が０よりも小さい場合、つまりＳＢ１４０に充電されている容量が、ＳＢ１４０の容量の１／２よりも小さい場合、導出部１５４は、発電電力量から差異の絶対値を減算することによって売電可能容量を導出する。つまり、売電可能容量は、所定のスロットにおけるＰＶ１３０の発電電力量をもとに導出されるが、所定のスロットにおける蓄電システム１１８の蓄電容量も反映される。このような売電可能容量の導出はスロット毎になされればよい。導出部１５４は、売電可能容量を取得部１５６に出力する。取得部１５６は、売電可能容量を導出部１５４から取得する。取得部１５６は、売電可能容量を決定部１５８、処理部１７０に出力する。
【００４２】
記憶部１５２に記憶されるテーブルは、実際の発電電力量を反映するように更新されてもよい。太陽電池システム１１６は、各スロットにおける発電電力量を計測する。発電電力量の計測には公知の技術が使用されればよいので、ここでは説明を省略する。太陽電池システム１１６は、計測した発電電力量の情報を制御システム１２０に送信する。制御システム１２０の第１通信部１４８は、受信した発電電力量の情報を制御部１５０に出力する。制御部１５０は、記憶部１５２に記憶された複数のテーブルのうち、導出部１５４において取得された天気予報と降水確率と日付情報の組合せに対応したテーブルを選択し、当該デーブルに示された発電電力量の最大値と最小値を特定する。太陽電池システム１１６から受信した発電電力量が、現在の時刻に対応したテーブルの最大値よりも大きい場合、制御部１５０は、太陽電池システム１１６から受信した発電電力量となるようにテーブルの最大値を更新する。一方、太陽電池システム１１６から受信した発電電力量が、現在の時刻に対応したテーブルの最小値よりも小さい場合、制御部１５０は、太陽電池システム１１６から受信した発電電力量となるようにテーブルの最小値を更新する。
【００４３】
操作装置１２２は、ユーザが操作可能なインターフェイスであり、例えばキーボード、タッチパネルである。ユーザは、操作装置１２２を操作することによって、希望する単位電力量あたりの売電価格（以下、「希望売電価格」という）を入力する。売電価格が希望売電価格以上であれば発電家１００は売電を希望するポリシーをもとに、希望売電価格は設定される。受付部１６０は、希望売電価格の入力を受けつける。受付部１６０は、希望売電価格を処理部１７０に出力する。
【００４４】
処理部１７０は、取得部１５６から売電可能容量を受けつけるとともに、受付部１６０から希望売電価格を受けつける。処理部１７０は、希望売電価格と売電可能容量とが含まれた入札情報を生成する。入札情報には、発電家１００を識別するための識別情報（以下、「発電家ＩＤ」という）と、売電を希望するスロットの情報も含まれる。売電を希望するスロットの情報は、例えば、当該スロットの開始時刻によって示される。処理部１７０は、入札情報を第２通信部１６２に出力する。第２通信部１６２は、処理部１７０において生成した入札情報をサーバ３００に送信する。サーバ３００は、発電家１００からの入札情報を受信する。
【００４５】
図４における制御システム２２０の導出部２５４は、カレンダー情報を管理しており、現在の「月」を日付情報として取得するとともに、現在の「曜日」を曜日情報として取得する。導出部２５４は、制御部２５０を介して記憶部２５２にアクセスすることによって、取得した日付情報と曜日情報をもとに、負荷機器２１４の消費電力量の情報を取得する。
【００４６】
記憶部２５２は、日付情報と曜日情報と、負荷機器２１４の消費電力量との対応関係が示されたテーブルを記憶する。図７は、記憶部２５２に記憶されるテーブルのデータ構造を示す。ここでは、一例として、日付情報が「５月」であり、曜日情報が「日曜日」である場合の消費電力量が示されたテーブルを示す。記憶部２５２は、さまざまな日付情報、曜日情報の組合せのそれぞれに対してもテーブルを記憶しているので、記憶部２５２は複数のテーブルを記憶する。複数のテーブルのうち、導出部２５４において取得された日付情報と曜日情報の組合せに対応したテーブルが選択される。各テーブルには、複数のスロットのそれぞれにおける消費電力量の最大値と最小値とが示される。例えば、０時００分から開始されるスロットには、消費電力量の最大値「Ｃ１」と消費電力量の最小値「Ｄ１」とが示される。記憶部２５２に記憶されるテーブルのデータ構造は、図６に限定されない。例えば、日付情報が「５月」ではなく、「５月１週目」のように細分化されてもよい。図４に戻る。
【００４７】
導出部２５４は、記憶部２５２から取得した消費電力量の情報から、現在の時刻をもとに、入札を希望するスロットの消費電力量の最大値と最小値とを抽出する。ここでも、入札を希望するスロットは、例えば、現在の時刻から最も早く到来するスロットとされる。導出部２５４は、抽出した消費電力量の最大値と最小値との平均を計算することによって、当該スロットにおける消費電力量を導出する。導出部２５４は、平均以外の統計処理を実行してもよい。
【００４８】
また、導出部２５４は、制御部２５０、第１通信部２４８を介して蓄電システム２１８の制御部２４６から、ＳＢ２４０の蓄電容量に関する情報を受けつける。導出部２５４は、ＳＢ２４０の蓄電容量と、ＳＢ２４０の容量の１／２の値との差異を計算する。差異が０以上である場合、つまりＳＢ２４０に充電されている容量が、ＳＢ２４０の容量の１／２以上である場合、導出部２５４は、消費電力量から差異の絶対値を減算することによって買電可能容量を導出する。一方、差異が０よりも小さい場合、つまりＳＢ２４０に充電されている容量が、ＳＢ２４０の容量の１／２よりも小さい場合、導出部２５４は、消費電力量に差異の絶対値を加算することによって買電可能容量を導出する。つまり、需要家２００における買電可能容量は、所定のスロットにおける負荷機器２１４の消費電力量をもとに導出されるが、所定のスロットにおける蓄電システム２１８の蓄電容量も反映される。このような買電可能容量の導出はスロット毎になされればよい。導出部２５４は、買電可能容量を取得部２５６に出力する。取得部２５６は、買電可能容量を導出部２５４から取得する。取得部２５６は、売電可能容量を決定部２５８、処理部２７０に出力する。
【００４９】
記憶部２５２に記憶されるテーブルは、実際の消費電力量を反映するように更新されてもよい。負荷機器２１４は、各スロットにおける消費電力量を計測する。消費電力量の計測には公知の技術が使用されればよいので、ここでは説明を省略する。負荷機器２１４は、計測した消費電力量の情報を制御システム２２０に送信する。制御システム２２０の第１通信部２４８は、受信した発電電力量の情報を制御部２５０に出力する。制御部２５０は、記憶部２５２に記憶された複数のテーブルのうち、導出部２５４において取得された日付情報と曜日情報に対応したテーブルを選択してから、当該テーブルに示された消費電力量の最大値と最小値を特定する。負荷機器２１４から受信した消費電力量が、現在の時刻に対応したテーブルの最大値よりも大きい場合、制御部２５０は、負荷機器２１４から受信した消費電力量となるようにテーブルの最大値を更新する。一方、負荷機器２１４から受信した消費電力量が、現在の時刻に対応したテーブルの最小値よりも小さい場合、制御部２５０は、負荷機器２１４から受信した消費電力量となるようにテーブルの最小値を更新する。
【００５０】
ユーザは、操作装置２２２を操作することによって、希望する単位電力量あたりの買電価格（以下、「希望買電価格」という）を入力する。買電価格が希望買電価格以下であれば需要家２００は買電を希望するポリシーをもとに、希望買電価格は設定される。受付部２６０は、希望売電価格の入力を受けつける。受付部２６０は、希望売電価格を処理部２７０に出力する。
【００５１】
処理部２７０は、取得部２５６から買電可能容量を受けつけるとともに、受付部２６０から希望買電価格を受けつける。処理部２７０は、希望買電価格と買電可能容量とが含まれた入札情報を生成する。入札情報には、需要家２００を識別するための識別情報（以下「需要家ＩＤ」という）と、買電を希望するスロットの情報も含まれる。買電を希望するスロットの情報は、例えば、当該スロットの開始時刻によって示される。処理部２７０は、入札情報を第２通信部２６２に出力する。第２通信部２６２は、処理部２７０において生成した入札情報をサーバ３００に送信する。サーバ３００は、需要家２００からの入札情報を受信する。
【００５２】
図８は、分散電源取引市場システム１０００による入札処理手順を示すシーケンス図である。発電家１００は、希望売電価格を受けつける（Ｓ２００）。需要家２００は、希望買電価格を受けつける（Ｓ２０２）。発電家１００は、売電可能容量を取得する（Ｓ２０４）。需要家２００は、買電可能容量を取得する（Ｓ２０６）。発電家１００は、希望売電価格と売電可能容量を含めるように入札情報を生成する（Ｓ２０８）。需要家２００は、希望買電価格と買電可能容量を含めるように入札情報を生成する（Ｓ２１０）。発電家１００は入札情報を送信し（Ｓ２１２）、サーバ３００は入札情報を受信する（Ｓ２１４）。需要家２００は入札情報を送信し（Ｓ２１６）、サーバ３００は入札情報を受信する（Ｓ２１８）。
【００５３】
（４）落札処理
落札処理は、発電家１００および需要家２００からの入札情報を受信したサーバ３００においてなされる処理であり、かつ電力を売買させるべき発電家１００と需要家２００とをマッチングさせる処理である。マッチングの結果は落札処理としてサーバ３００から発電家１００および需要家２００に送信される。
【００５４】
図９は、サーバ３００の構成を示す。サーバ３００は、通信部３１０、処理部３１２、記憶部３１４を含む。通信部３１０は、ネットワーク２０に接続され、ネットワーク２０を介して発電家１００および需要家２００と通信する。通信部３１０は、発電家１００および需要家２００から入札情報を受信する。通信部３１０は、入札情報を処理部３１２に出力する。処理部３１２は、１つのスロットに対する入札情報をまとめて記憶部３１４に記憶させる。
【００５５】
記憶部３１４は、処理部３１２による制御にしたがって、１つのスロットに対する入札情報が含まれたデータベースを記憶する。図１０（ａ）−（ｂ）は、記憶部３１４に記憶されるデータベースのデータ構造を示す。図１０（ａ）は、１つのスロットに対する入札情報であって、かつ複数の発電家１００からの入札情報を示す。図示のごとく、各発電家１００について、発電家ＩＤ、希望売電価格、売電可能容量の組合せが記憶される。図１０（ｂ）は、１つのスロットに対する入札情報であって、かつ複数の需要家２００からの入札情報を示す。図示のごとく、各需要家２００について、需要家ＩＤ、希望買電価格、買電可能容量の組合せが記憶される。図９に戻る。
【００５６】
処理部３１２は、記憶部３１４に記憶したデータベースをもとに、１つのスロットに対して発電家１００と需要家２００とのマッチング処理を実行する。処理部３１２は、図１０（ａ）に示されたデータベースのうち、希望売電価格を参照し、最も安い希望売電価格と、当該希望売電価格に対応した売電可能容量の組合せを抽出する。これに続いて、処理部３１２は、次に安い希望売電価格と、当該希望売電価格に対応した売電可能容量の組合せを抽出する。処理部３１２は、希望売電価格を上げながら、このような処理を繰り返す。これらの処理とともに、処理部３１２は、希望売電価格を上げながら売電可能容量を順に積算していく。図１１は、処理部３１２における処理の概要を示す。横軸は価格を示し、縦軸は電力量を示す。価格の一例は希望売電価格である。図１１において、希望売電価格を上げながら売電可能容量を順に積算した結果が累積売電電力量６００として示される。累積売電電力量６００は、希望売電価格が低い場合に小さく、希望売電価格の上昇とともに大きくなる。図９に戻る。
【００５７】
処理部３１２は、図１０（ｂ）に示されたデータベースのうち、希望買電価格を参照し、最も高い希望買電価格と、当該希望買電価格に対応した買電可能容量の組合せを抽出する。これに続いて、処理部３１２は、次に高い希望買電価格と、当該希望買電価格に対応した買電可能容量の組合せを抽出する。処理部３１２は、希望買電価格を下げながら、このような処理を繰り返す。これらの処理とともに、処理部３１２は、希望買電価格を下げながら買電可能容量を順に積算していく。図１１における価格の一例は希望買電価格であり、希望買電価格を下げながら買電可能容量を順に積算した結果が累積買電電力量６０２として示される。累積買電電力量６０２は、希望買電価格が高い場合に小さく、希望買電価格の低下とともに大きくなる。
【００５８】
図１１において、累積売電電力量６００と累積買電電力量６０２とが一致する価格が「ｘ」と示される。累積売電電力量６００と累積買電電力量６０２とが価格「ｘ」におい一致するので、価格「ｘ」は、マッチング処理により特定された価格であるといえる。処理部３１２は、図１０（ａ）に示されたデータベースのうち、価格「ｘ」以下となる希望売電価格となる発電家ＩＤと売電可能容量の組合せを特定する。また、処理部３１２は、特定した発電家ＩＤのそれぞれに対する落札情報を生成する。落札情報には、売電させるスロットの情報が含まれる。また、処理部３１２は、図１０（ｂ）に示されたデータベースのうち、価格「ｘ」以上となる希望買電価格となる需要家ＩＤと買電可能容量の組合せを特定する。また、処理部３１２は、特定した需要家ＩＤのそれぞれに対する落札情報を生成する。落札情報には、買電させるスロットの情報が含まれる。通信部３１０は、処理部３１２において生成された落札情報をネットワーク２０を経由して発電家１００および需要家２００に送信する。
【００５９】
図１２は、分散電源取引市場システム１０００による落札処理手順を示すシーケンス図である。サーバ３００は、入札情報を記憶させる（Ｓ３００）。サーバ３００は、記憶させた入札情報をもとにマッチング処理を実行する（Ｓ３０２）。サーバ３００は、落札情報を生成する（Ｓ３０４）。サーバ３００は、落札情報を発電家１００に送信する（Ｓ３０６）とともに、落札情報を需要家２００に送信する（Ｓ３０８）。発電家１００は落札情報を受信し（Ｓ３１０）、需要家２００は落札情報を受信する（Ｓ３１２）。
【００６０】
（５）電力制御・精算処理
電力制御処理は、落札した発電家１００が電力を安定的に逆潮流させる制御と、落札した需要家２００が電力を安定的に順潮流させる制御とを含む。図３の制御システム１２０における第１通信部１４８は、電力メータ１１０からの計測結果を順次受信しており、計測結果を入力部１６４に出力する。入力部１６４は、第１通信部１４８からの計測結果、つまり発電家１００から電力系統１０へ逆潮流する電力の計測結果を受けつける。入力部１６４は、電力の計測結果を制御部１５０に出力する。
【００６１】
第２通信部１６２は、入札情報をサーバ３００に送信した後、サーバ３００から落札情報を受信する。第２通信部１６２は、落札情報を制御部１５０に出力する。制御部１５０は、第２通信部１６２からの落札情報を受けつけると、発電家１００から逆潮流させる電力に対するしきい値の決定を決定部１５８に指示する。決定部１５８は、しきい値の決定の指示を制御部１５０から受けつけると、取得部１５６において取得した売電可能容量をもとにしきい値を決定する。売電可能容量は、スロットを単位とした電力量で示されるので、決定部１５８は、売電可能容量をスロットの時間で除算することによって、ゼロより大きいしきい値を導出する。しきい値の導出はこれに限定されない。決定部１５８は、しきい値を制御部１５０に出力する。
【００６２】
制御部１５０は、落札情報からスロットの情報を抽出する。スロットの情報において示されたスロットが到来すると、制御部１５０は、入力部１６４において受けつけた計測結果と、決定部１５８において決定したしきい値とを使用して、発電家１００から電力系統１０へ逆潮流する電力を制御する。この制御は、スロットの情報において示されたスロットの間、つまり発電家１００から電力系統１０へ電力を逆潮流させている間にわたってなされる。
【００６３】
具体的に説明すると、制御部１５０は、計測結果がしきい値を超える場合に、蓄電システム１１８の充電を決定する。制御部１５０は、蓄電システム１１８に充電を指示するための第１指示信号を生成し、第１通信部１４８を介して蓄電システム１１８に送信する。蓄電システム１１８の制御部１４６は、受信した第１指示信号にしたがって、ＳＢ１４０を充電させるように双方向ＤＣ／ＡＣインバータ１４４を制御する。これに続いて、制御部１４６は、ＳＢ１４０の蓄電容量を計測し、ＳＢ１４０の蓄電容量に関する情報を生成する。制御部１４６は、ＳＢ１４０の蓄電容量に関する情報を制御システム１２０に送信する。制御システム１２０の制御部１５０は、第１通信部１４８を介して、ＳＢ１４０の蓄電容量に関する情報を受信する。制御部１５０は、ＳＢ１４０の蓄電容量が上限値よりも小さければ、前述の処理を繰り返して第１指示信号を送信する。一方、ＳＢ１４０の蓄電容量が上限値以上であれば、第１指示信号の送信を停止する。ここで、上限値は、ＳＢ１４０の容量以下に設定される。
【００６４】
ＳＢ１４０の蓄電容量が上限値以上であり、第１指示信号の送信を停止した場合、制御部１５０は、負荷機器１１４に電力の消費の増加を指示するための第２指示信号を生成し、第１通信部１４８を介して負荷機器１１４に送信する。負荷機器１１４は、受信した第２指示信号にしたがって、電力の消費を増加させる。例えば、負荷機器１１４が冷房機器である場合、設定温度の低下、風量の増加がなされる。負荷機器１１４は、第２指示信号を受信している間にわたって、電力の消費を増加させる。ここで、制御部１５０は、計測結果がしきい値を超える場合からしきい値を超えない場合に遷移した場合に、第１指示信号あるいは第２指示信号の送信を停止する。蓄電システム１１８に対する制御を実行した後に、負荷機器１１４に対する制御を実行している。しかしながら、制御部１５０は、負荷機器１１４に対する制御を実行した後に、蓄電システム１１８に対する制御を実行してもよい。
【００６５】
制御部１５０は、計測結果がしきい値を下回る場合に、蓄電システム１１８を放電させることを決定する。制御部１５０は、蓄電システム１１８に放電を指示するための第３指示信号を生成し、第１通信部１４８を介して蓄電システム１１８に送信する。蓄電システム１１８の制御部１４６は、受信した第３指示信号にしたがって、ＳＢ１４０を放電させるように双方向ＤＣ／ＡＣインバータ１４４を制御する。これに続いて、制御部１４６は、ＳＢ１４０の蓄電容量を計測し、ＳＢ１４０の蓄電容量に関する情報を生成する。制御部１４６は、ＳＢ１４０の蓄電容量に関する情報を制御システム１２０に送信する。制御システム１２０の制御部１５０は、第１通信部１４８を介して、ＳＢ１４０の蓄電容量に関する情報を受信する。制御部１５０は、ＳＢ１４０の蓄電容量が下限値よりも大きければ、前述の処理を繰り返して第３指示信号を送信する。一方、ＳＢ１４０の蓄電容量が下限値以下であれば、第３指示信号の送信を停止する。ここで、下限値は、ゼロ以上に設定される。
【００６６】
ＳＢ１４０の蓄電容量が下限値以下であり、第３指示信号の送信を停止した場合、制御部１５０は、負荷機器１１４に電力の消費の抑制を指示するための第４指示信号を生成し、第１通信部１４８を介して負荷機器１１４に送信する。負荷機器１１４は、受信した第４指示信号にしたがって、電力の消費を抑制させる。例えば、負荷機器１１４が冷房機器である場合、設定温度の上昇、風量の減少がなされる。負荷機器１１４は、第４指示信号を受信している間にわたって、電力の消費を抑制させる。ここで、制御部１５０は、計測結果がしきい値を下回る場合からしきい値を下回らない場合に遷移した場合に、第３指示信号あるいは第４指示信号の送信を停止する。蓄電システム１１８に対する制御を実行した後に、負荷機器１１４に対する制御を実行している。しかしながら、制御部１５０は、負荷機器１１４に対する制御を実行した後に、蓄電システム１１８に対する制御を実行してもよい。
【００６７】
図４の制御システム２２０における第１通信部２４８は、電力メータ２１０からの計測結果を順次受信しており、計測結果を入力部２６４に出力する。入力部２６４は、第１通信部２４８からの計測結果、つまり電力系統１０から需要家２００へ順潮流する電力の計測結果を受けつける。入力部２６４は、電力の計測結果を制御部２５０に出力する。
【００６８】
第２通信部２６２は、入札情報をサーバ３００に送信した後、サーバ３００から落札情報を受信する。第２通信部２６２は、落札情報を制御部２５０に出力する。制御部２５０は、第２通信部２６２からの落札情報を受けつけると、需要家２００に順潮流させる電力に対するしきい値の決定を決定部２５８に指示する。決定部２５８は、しきい値の決定の指示を制御部２５０から受けつけると、取得部２５６において取得した買電可能容量をもとにしきい値を決定する。買電可能容量は、スロットを単位とした電力量で示されるので、決定部２５８は、買電可能容量をスロットの時間で除算することによって、ゼロより大きいしきい値を導出する。しきい値の導出はこれに限定されない。決定部２５８は、しきい値を制御部２５０に出力する。
【００６９】
制御部２５０は、落札情報からスロットの情報を抽出する。スロットの情報において示されたスロットが到来すると、制御部２５０は、入力部２６４において受けつけた計測結果と、決定部２５８において決定したしきい値とを使用して、電力系統１０から需要家２００へ順潮流する電力を制御する。この制御は、スロットの情報において示されたスロットの間、つまり電力系統１０から需要家２００へ電力を順潮流させている間にわたってなされる。
【００７０】
具体的に説明すると、制御部２５０は、計測結果がしきい値を超える場合に、蓄電システム２１８の放電を決定する。制御部２５０は、蓄電システム２１８に放電を指示するための第５指示信号を生成し、第１通信部２４８を介して蓄電システム２１８に送信する。蓄電システム２１８の制御部２４６は、受信した第５指示信号にしたがって、ＳＢ２４０を放電させるように双方向ＤＣ／ＡＣインバータ２４４を制御する。これに続いて、制御部２４６は、ＳＢ２４０の蓄電容量を計測し、ＳＢ２４０の蓄電容量に関する情報を生成する。制御部２４６は、ＳＢ２４０の蓄電容量に関する情報を制御システム２２０に送信する。制御システム２２０の制御部２５０は、第１通信部２４８を介して、ＳＢ２４０の蓄電容量に関する情報を受信する。制御部２５０は、ＳＢ２４０の蓄電容量が下限値よりも大きければ、前述の処理を繰り返して第５指示信号を送信する。一方、ＳＢ２４０の蓄電容量が下限値以下であれば、第５指示信号の送信を停止する。ここで、下限値は、ゼロ以上に設定される。
【００７１】
ＳＢ２４０の蓄電容量が下限値以下であり、第５指示信号の送信を停止した場合、制御部２５０は、負荷機器２１４に電力の消費の抑制を指示するための第６指示信号を生成し、第１通信部２４８を介して負荷機器２１４に送信する。負荷機器２１４は、受信した第６指示信号にしたがって、電力の消費を抑制させる。負荷機器２１４は、第６指示信号を受信している間にわたって、電力の消費を抑制させる。ここで、制御部２５０は、計測結果がしきい値を超える場合からしきい値を超えない場合に遷移した場合に、第５指示信号あるいは第６指示信号の送信を停止する。蓄電システム２１８に対する制御を実行した後に、負荷機器２１４に対する制御を実行している。しかしながら、制御部２５０は、負荷機器２１４に対する制御を実行した後に、蓄電システム２１８に対する制御を実行してもよい。
【００７２】
制御部２５０は、計測結果がしきい値を下回る場合に、蓄電システム２１８を充電させることを決定する。制御部２５０は、蓄電システム２１８に充電を指示するための第７指示信号を生成し、第１通信部２４８を介して蓄電システム２１８に送信する。蓄電システム２１８の制御部２４６は、受信した第７指示信号にしたがって、ＳＢ２４０を充電させるように双方向ＤＣ／ＡＣインバータ２４４を制御する。これに続いて、制御部２４６は、ＳＢ２４０の蓄電容量を計測し、ＳＢ２４０の蓄電容量に関する情報を生成する。制御部２４６は、ＳＢ２４０の蓄電容量に関する情報を制御システム２２０に送信する。制御システム２２０の制御部２５０は、第１通信部２４８を介して、ＳＢ２４０の蓄電容量に関する情報を受信する。制御部２５０は、ＳＢ２４０の蓄電容量が上限値よりも小さければ、前述の処理を繰り返して第７指示信号を送信する。一方、ＳＢ２４０の蓄電容量が上限値以上であれば、第７指示信号の送信を停止する。ここで、上限値は、ＳＢ２４０の容量以下に設定される。
【００７３】
ＳＢ２４０の蓄電容量が上限値以上であり、第７指示信号の送信を停止した場合、制御部２５０は、負荷機器２１４に電力の消費の増加を指示するための第８指示信号を生成し、第１通信部２４８を介して負荷機器２１４に送信する。負荷機器２１４は、受信した第８指示信号にしたがって、電力の消費を増加させる。負荷機器２１４は、第８指示信号を受信している間にわたって、電力の消費を増加させる。ここで、制御部２５０は、計測結果がしきい値を下回る場合からしきい値を下回らない場合に遷移した場合に、第７指示信号あるいは第８指示信号の送信を停止する。蓄電システム２１８に対する制御を実行した後に、負荷機器２１４に対する制御を実行している。しかしながら、制御部２５０は、負荷機器２１４に対する制御を実行した後に、蓄電システム２１８に対する制御を実行してもよい。
【００７４】
これまで説明した電力制御処理は、対象となるスロットが終了するまでなされる。電力制御処理が終了すると、精算処理が開始される。精算処理は、所定のスロットにおける発電家１００と需要家２００との間の電力の売買が終了した後に、電気料金を精算する処理である。図３の制御システム１２０における第１通信部１４８は、電力メータ１１０からの計測結果を受信し、計測結果を入力部１６４に出力する。この計測結果には、売電を実行したスロットにおける電力量、つまり売電量の情報が含まれる。入力部１６４は、第１通信部１４８からの計測結果、つまり売電量の計測結果を受けつける。入力部１６４は、売電量の計測結果を制御部１５０に出力する。制御部１５０は、入力部１６４から受けつけた売電量の計測結果が含まれた計測データを生成する。計測データには、発電家ＩＤ、売電を実行したスロットの情報も含まれる。制御部１５０は、第２通信部１６２、ネットワーク２０を介してサーバ３００に計測データを送信する。
【００７５】
図４の制御システム２２０における第１通信部２４８は、電力メータ２１０からの計測結果を受信し、計測結果を入力部２６４に出力する。この計測結果には、買電を実行したスロットにおける電力量、つまり買電量の情報が含まれる。入力部２６４は、第１通信部２４８からの計測結果、つまり買電量の計測結果を受けつける。入力部２６４は、買電量の計測結果を制御部２５０に出力する。制御部２５０は、入力部２６４から受けつけた買電量の計測結果が含まれた計測データを生成する。計測データには、需要家ＩＤ、買電を実行したスロットの情報も含まれる。制御部２５０は、第２通信部２６２、ネットワーク２０を介してサーバ３００に計測データを送信する。
【００７６】
図９の通信部３１０は、発電家１００および需要家２００から計測データを受信する。通信部３１０は、計測データを処理部３１２に出力する。処理部３１２は、受けつけた計測データから、売電あるいは買電を実行したスロットの情報を抽出し、同一のスロットに対する計測データを集める。また、処理部３１２は、集めた計測データをもとに、発電家ＩＤと売電量の計測結果との組合せ、需要家ＩＤと買電量の計測結果との組合せに対して精算処理を実行する。精算処理には公知の技術が使用されればよいので、ここでは説明を省略する。その際、発電家１００あるいは需要家２００に対するインセンティブが計算されてもよい。
【００７７】
図１３は、分散電源取引市場システム１０００による電力制御・精算処理手順を示すシーケンス図である。発電家１００は売電を開始し（Ｓ４００）、需要家２００は買電を開始する（Ｓ４０２）。発電家１００は逆潮流の電力を一定に保ち（Ｓ４０４）、需要家２００は順潮流の電力を一定に保つ（Ｓ４０６）。発電家１００は売電を終了し（Ｓ４０８）、需要家２００は買電を終了する（Ｓ４１０）。発電家１００は計測データをサーバ３００に送信し（Ｓ４１２）、需要家２００は計測データをサーバ３００に送信する（Ｓ４１４）。サーバ３００は精算処理を実行する（Ｓ４１６）。
【００７８】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００７９】
本実施例によれば、逆潮流する電力がしきい値を超える場合に、負荷機器１１４に電力の消費を増加させるので、逆潮流する電力をしきい値に近づけることができる。また、逆潮流する電力がしきい値を超える場合に、蓄電システム１１８を充電させるので、逆潮流する電力をしきい値に近づけることができる。また、逆潮流する電力がしきい値を下回る場合に、負荷機器１１４に電力の消費を抑制させるので、逆潮流する電力をしきい値に近づけることができる。また、逆潮流する電力がしきい値を下回る場合に、蓄電システム１１８を放電させるので、逆潮流する電力をしきい値に近づけることができる。また、逆潮流する電力がしきい値に近づくので、逆潮流する電力の変動を低減できる。
【００８０】
また、太陽電池システム１１６の発電電力量をもとに導出された売電可能容量からしきい値を決定するので、発電の状況に応じたしきい値を設定できる。また、所定の時間帯における蓄電システム１１８の蓄電容量も売電可能容量に反映されているので、蓄電システム１１８の蓄電容量を考慮した制御を実行できる。また、希望売電価格と売電可能容量とが含まれた入札情報をサーバ３００に送信するので、希望売電価格と売電可能容量を提示しながら入札を実行できる。また、希望売電価格の入力を受けつけるので、ユーザの希望に応じた希望売電価格を設定できる。また、落札情報を受信した場合に、逆潮流する電力の制御を実行するので、売電可能容量に応じた制御を実行できる。
【００８１】
また、順潮流する電力がしきい値を超える場合に、負荷機器２１４に電力の消費を抑制させるので、順潮流する電力をしきい値に近づけることができる。また、順潮流する電力がしきい値を超える場合に、蓄電システム２１８を放電させるので、順潮流する電力をしきい値に近づけることができる。また、順潮流する電力がしきい値を下回る場合に、負荷機器２１４に電力の消費を増加させるので、順潮流する電力をしきい値に近づけることができる。また、順潮流する電力がしきい値を下回る場合に、蓄電システム２１８を充電させるので、順潮流する電力をしきい値に近づけることができる。また、順潮流する電力がしきい値に近づくので、順潮流する電力の変動を低減できる。また、需要家２００における買電可能容量をもとにしきい値を決定するので、買電可能容量に応じたしきい値を設定できる。
【００８２】
また、所定の時間帯における負荷機器２１４の消費電力量が買電可能容量に反映されているので、負荷機器２１４の消費電力量を考慮した制御を実行できる。また、所定の時間帯における蓄電システム２１８の蓄電容量が買電可能容量に反映されているので、蓄電システム２１８の蓄電容量を考慮した制御を実行できる。また、希望買電価格と買電可能容量とが含まれた入札情報をサーバ３００に送信するので、希望買電価格と買電可能容量を提示しながら入札を実行できる。また、希望買電価格の入力を受けつけるので、ユーザの希望に応じた希望買電価格を設定できる。また、落札情報を受信した場合に、順潮流する電力の制御を実行するので、買電可能容量に応じた制御を実行できる。
【００８３】
本開示の一態様の概要は、次の通りである。
（項目１−１）
発電家１００から電力系統１０へ逆潮流する電力の計測結果を受けつける入力部１６４と、
前記入力部１６４において受けつけた計測結果をもとに、前記発電家１００から前記電力系統１０へ逆潮流する電力を制御する制御部１５０とを備え、
前記制御部１５０は、前記発電家１００から前記電力系統１０へ電力を逆潮流させている間に、
（ｉ）前記入力部１６４において受けつけた計測結果が、ゼロより大きいしきい値を超える場合に、前記発電家１００に設置された負荷機器１１４に電力の消費を増加させ、あるいは前記発電家１００に設置された蓄電システム１１８を充電させ、
（ｉｉ）前記入力部１６４において受けつけた計測結果が前記しきい値を下回る場合に、前記負荷機器１１４に電力の消費を抑制させ、あるいは前記蓄電システム１１８を放電させる、
制御システム１２０。
【００８４】
（項目１−３）
前記発電家１００は、再生可能エネルギーを用いて電力を発生させる太陽電池システム１１６を備え、
所定の時間帯における前記太陽電池システム１１６の発電電力量をもとに導出された売電可能容量を取得する取得部１５６と、
前記取得部１５６において取得した前記売電可能容量をもとに、前記制御部１５０において使用される前記しきい値を決定する決定部１５８と、
をさらに備える項目１−１または１−２に記載の制御システム１２０。
【００８５】
（項目１−４）
前記取得部１５６において取得される前記売電可能容量には、前記所定の時間帯における前記蓄電システム１１８の蓄電容量も反映されている、
項目１−３に記載の制御システム１２０。
【００８６】
（項目１−５）
電力取引市場を仲介するサーバ３００と通信する第２通信部１６２をさらに備え、
前記第２通信部１６２は、希望する単位電力量あたりの価格と、前記取得部１５６において取得した前記売電可能容量とが含まれた入札情報を前記サーバ３００に送信する、
項目１−３または１−４に記載の制御システム１２０。
【００８７】
（項目１−６）
前記価格の入力を受けつける受付部１６０をさらに備える、
項目１−５に記載の制御システム１２０。
【００８８】
（項目１−７）
前記制御部１５０は、
前記第２通信部１６２が、前記入札情報を前記サーバ３００に送信した後、前記サーバ３００から落札情報を受信した場合に、前記入力部１６４において受けつけた計測結果と、前記決定部１５８において決定した前記しきい値とを使用した制御を実行する、
項目１−５または１−６に記載の制御システム１２０。
【００８９】
（項目１−８）
発電家１００から電力系統１０へ逆潮流する電力の計測結果を受けつけるステップと、
受けつけた計測結果をもとに、前記発電家１００から前記電力系統１０へ逆潮流する電力を制御するステップとを備え、
前記制御するステップは、前記発電家１００から前記電力系統１０へ電力を逆潮流させている間に、
（ｉ）受けつけた計測結果が、ゼロより大きいしきい値を超える場合に、前記発電家１００に設置された負荷機器１１４に電力の消費を増加させ、あるいは前記発電家１００に設置された蓄電システム１１８を充電させ、
（ｉｉ）受けつけた計測結果が前記しきい値を下回る場合に、前記負荷機器１１４に電力の消費を抑制させ、あるいは前記蓄電システム１１８を放電させる、
制御方法。
【００９０】
（項目２−１）
電力系統１０から需要家２００へ順潮流する電力の計測結果を受けつける入力部２６４と、
前記電力系統１０から前記需要家２００へ電力を順潮流させている間に、
（ｉ）前記入力部２６４において受けつけた計測結果が、ゼロより大きいしきい値を超える場合に、前記需要家２００に設置された負荷機器２１４に電力の消費を抑制させ、あるいは前記需要家２００に設置された蓄電システム２１８を放電させ、
（ｉｉ）前記入力部２６４において受けつけた計測結果が前記しきい値を下回る場合に、前記負荷機器２１４に電力の消費を増加させ、あるいは前記蓄電システム２１８を充電させる制御部２５０と、
所定の時間帯における前記需要家２００における買電可能容量を取得する取得部２５６と、
前記取得部２５６において取得した前記買電可能容量をもとに、前記制御部２５０において使用される前記しきい値を決定する決定部２５８と、
を備える制御システム２２０。
【００９１】
（項目２−３）
前記取得部２５６において取得される前記買電可能容量には、前記所定の時間帯における前記負荷機器２１４の消費電力量が反映されている、
項目２−１または２−２に記載の制御システム２２０。
【００９２】
（項目２−４）
前記取得部２５６において取得される前記買電可能容量には、前記所定の時間帯における前記蓄電システム２１８の蓄電容量も反映されている、
項目２−３に記載の制御システム２２０。
【００９３】
（項目２−５）
電力取引市場を仲介するサーバ３００と通信する第２通信部２６２をさらに備え、
前記第２通信部２６２は、希望する単位電力量あたりの価格と、前記取得部２５６において取得した前記買電可能容量とが含まれた入札情報を前記サーバ３００に送信する、
項目２−３または２−４に記載の制御システム２２０。
【００９４】
（項目２−６）
前記価格の入力を受けつける受付部２６０をさらに備える、
項目２−５に記載の制御システム２２０。
【００９５】
（項目２−７）
前記制御部２５０は、
前記第２通信部２６２が、前記入札情報を前記サーバ３００に送信した後、前記サーバ３００から落札情報を受信した場合に、前記入力部２６４において受けつけた計測結果と、前記決定部２５８において決定した前記しきい値とを使用した制御を実行する、
項目２−５または２−６に記載の制御システム２２０。
【００９６】
（項目２−８）
電力系統１０から需要家２００へ順潮流する電力の計測結果を受けつけるステップと、
前記電力系統１０から前記需要家２００へ電力を順潮流させている間に、
（ｉ）受けつけた計測結果が、ゼロより大きいしきい値を超える場合に、前記需要家２００に設置された負荷機器２１４に電力の消費を抑制させ、あるいは前記需要家２００に設置された蓄電システム２１８を放電させ、
（ｉｉ）受けつけた計測結果が前記しきい値を下回る場合に、前記負荷機器２１４に電力の消費を増加させ、あるいは前記蓄電システム２１８を充電させるステップと、
所定の時間帯における前記需要家２００における買電可能容量を取得するステップと、
取得した前記買電可能容量をもとに、前記しきい値を決定するステップと、
を備える制御方法。
【００９７】
（実施例２）
次に、実施例２を説明する。実施例２は、実施例１と同様に、発電家と需要家とを含む分散電源取引市場システムに関する。実施例１における発電家では、計測した電力をもとに、発電家から電力系統へ逆潮流する電力を制御し、需要家では、計測した電力をもとに、電力系統から需要家へ順潮流する電力を制御する。一方、実施例２における発電家では、計測した電力量をもとに、発電家から電力系統へ逆潮流する電力量を制御し、需要家では、計測した電力量をもとに、電力系統から需要家へ順潮流する電力量を制御する。つまり、実施例２では、制御の単位が電力から電力量に代わる。実施例２に係る分散電源取引市場システム１０００、発電家１００、需要家２００、サーバ３００は、図１、図３、図４、図９と同様のタイプである。ここでは、実施例１との差異を中心に説明する。また、（２）市場参加処理、（３）入札処理、（４）落札処理は実施例１と同一であるので、ここではこれらの説明を省略する。
【００９８】
（５）電力制御・精算処理
図３の制御システム１２０における第１通信部１４８は、電力メータ１１０からの計測結果を受信しており、計測結果を入力部１６４に出力する。入力部１６４は、第１通信部１４８からの計測結果、つまり発電家１００から電力系統１０へ逆潮流する電力量の計測結果を受けつける。入力部１６４は、電力量の計測結果を制御部１５０に出力する。また、決定部１５８は、しきい値の決定の指示を制御部１５０から受けつけると、取得部１５６において取得した売電可能容量をもとにしきい値を決定する。例えば、決定部１５８は、売電可能容量をしきい値に設定する。しきい値の導出はこれに限定されない。決定部１５８は、しきい値を制御部１５０に出力する。
【００９９】
制御部１５０は、落札情報からスロットの情報を抽出する。スロットの情報において示されたスロットが到来すると、制御部１５０は、入力部１６４において受けつけた計測結果と、決定部１５８において決定したしきい値とを使用して、発電家１００から電力系統１０へ逆潮流する電力量を制御する。計測結果としきい値との比較をもとにした制御は実施例１と同様であるが、計測結果がしきい値を超えると予想される場合、あるいは計測結果がしきい値を下回ると予想される場合に、制御がなされる。計測結果がしきい値を超えると予想される場合とは、計測結果の変動が続いたときに、スロット内において計測結果がしきい値を超えることに相当する。計測結果がしきい値を下回ると予想される場合も同様である。この制御は、スロットの情報において示されたスロットの間、つまり発電家１００から電力系統１０へ電力を逆潮流させている間にわたってなされる。
【０１００】
図４の制御システム２２０における第１通信部２４８は、電力メータ２１０からの計測結果を受信しており、計測結果を入力部２６４に出力する。入力部２６４は、第１通信部２４８からの計測結果、つまり電力系統１０から需要家２００へ順潮流する電力量の計測結果を受けつける。入力部２６４は、電力量の計測結果を制御部２５０に出力する。また、決定部２５８は、しきい値の決定の指示を制御部２５０から受けつけると、取得部２５６において取得した買電可能容量をもとにしきい値を決定する。例えば、決定部２５８は、買電可能容量をしきい値に設定する。しきい値の導出はこれに限定されない。決定部２５８は、しきい値を制御部２５０に出力する。
【０１０１】
制御部２５０は、落札情報からスロットの情報を抽出する。スロットの情報において示されたスロットが到来すると、制御部２５０は、入力部２６４において受けつけた計測結果と、決定部２５８において決定したしきい値とを使用して、電力系統１０から需要家２００へ順潮流する電力を制御する。計測結果としきい値との比較をもとにした制御は実施例１と同様であるが、計測結果がしきい値を超えると予想される場合、あるいは計測結果がしきい値を下回ると予想される場合に、制御がなされる。この制御は、スロットの情報において示されたスロットの間、つまり電力系統１０から需要家２００へ電力を順潮流させている間にわたってなされる。
【０１０２】
本実施例によれば、逆潮流する電力量がしきい値を超える場合に、負荷機器１１４に電力の消費を増加させるので、逆潮流する電力量をしきい値に近づけることができる。また、逆潮流する電力量がしきい値を超える場合に、蓄電システム１１８を充電させるので、逆潮流する電力量をしきい値に近づけることができる。また、逆潮流する電力量がしきい値を下回る場合に、負荷機器１１４に電力の消費を抑制させるので、逆潮流する電力量をしきい値に近づけることができる。また、逆潮流する電力量がしきい値を下回る場合に、蓄電システム１１８を放電させるので、逆潮流する電力量をしきい値に近づけることができる。また、逆潮流する電力量がしきい値に近づくので、逆潮流する電力量の変動を低減できる。また、逆潮流する電力量をもとに制御を実行するので、制御を簡易にできる。
【０１０３】
また、順潮流する電力量がしきい値を超える場合に、負荷機器２１４に電力の消費を抑制させるので、順潮流する電力量をしきい値に近づけることができる。また、順潮流する電力量がしきい値を超える場合に、蓄電システム２１８を放電させるので、順潮流する電力量をしきい値に近づけることができる。また、順潮流する電力量がしきい値を下回る場合に、負荷機器２１４に電力の消費を増加させるので、順潮流する電力量をしきい値に近づけることができる。また、順潮流する電力量がしきい値を下回る場合に、蓄電システム２１８を充電させるので、順潮流する電力量をしきい値に近づけることができる。また、順潮流する電力量がしきい値に近づくので、順潮流する電力量の変動を低減できる。また、需要家２００における買電可能容量をもとにしきい値を決定するので、買電可能容量に応じたしきい値を設定できる。また、順潮流する電力量をもとに制御を実行するので、制御を簡易にできる。
【０１０４】
本開示の一態様の概要は、次の通りである。
（項目１−２）
発電家１００から電力系統１０へ逆潮流する電力量の計測結果を受けつける入力部１６４と、
前記入力部１６４において受けつけた計測結果をもとに、前記発電家１００から前記電力系統１０へ逆潮流する電力量を制御する制御部１５０とを備え、
前記制御部１５０は、前記発電家１００から前記電力系統１０へ電力を逆潮流させている間に、
（ｉ）前記入力部１６４において受けつけた計測結果が、ゼロより大きいしきい値を超えうる場合に、前記発電家１００に設置された負荷機器１１４に電力の消費を増加させ、あるいは前記発電家１００に設置された蓄電システム１１８を充電させ、
（ｉｉ）前記入力部１６４において受けつけた計測結果が前記しきい値を下回りうる場合に、前記負荷機器１１４に電力の消費を抑制させ、あるいは前記蓄電システム１１８を放電させる、
制御システム１２０。
【０１０５】
（項目１−９）
発電家１００から電力系統１０へ逆潮流する電力量の計測結果を受けつけるステップと、
受けつけた計測結果をもとに、前記発電家１００から前記電力系統１０へ逆潮流する電力量を制御するステップとを備え、
前記制御するステップは、前記発電家１００から前記電力系統１０へ電力を逆潮流させている間に、
（ｉ）受けつけた計測結果が、ゼロより大きいしきい値を超えうる場合に、前記発電家１００に設置された負荷機器１１４に電力の消費を増加させ、あるいは前記発電家１００に設置された蓄電システム１１８を充電させ、
（ｉｉ）受けつけた計測結果が前記しきい値を下回りうる場合に、前記負荷機器１１４に電力の消費を抑制させ、あるいは前記蓄電システム１１８を放電させる、
制御方法。
【０１０６】
（項目２−２）
電力系統１０から需要家２００へ順潮流する電力量の計測結果を受けつける入力部２６４と、
前記電力系統１０から前記需要家２００へ電力を順潮流させている間に、
（ｉ）前記入力部２６４において受けつけた計測結果が、ゼロより大きいしきい値を超えうる場合に、前記需要家２００に設置された負荷機器２１４に電力の消費を抑制させ、あるいは前記需要家２００に設置された蓄電システム２１８を放電させ、
（ｉｉ）前記入力部２６４において受けつけた計測結果が前記しきい値を下回りうる場合に、前記負荷機器２１４に電力の消費を増加させ、あるいは前記蓄電システム２１８を充電させる制御部２５０と、
所定の時間帯における前記需要家２００における買電可能容量を取得する取得部２５６と、
前記取得部２５６において取得した前記買電可能容量をもとに、前記制御部２５０において使用される前記しきい値を決定する決定部２５８と、
を備える制御システム２２０。
（項目２−９）
【０１０７】
電力系統１０から需要家２００へ順潮流する電力量の計測結果を受けつけるステップと、
前記電力系統１０から前記需要家２００へ電力を順潮流させている間に、
（ｉ）受けつけた計測結果が、ゼロより大きいしきい値を超えうる場合に、前記需要家２００に設置された負荷機器２１４に電力の消費を抑制させ、あるいは前記需要家２００に設置された蓄電システム２１８を放電させ、
（ｉｉ）受けつけた計測結果が前記しきい値を下回りうる場合に、前記負荷機器２１４に電力の消費を増加させ、あるいは前記蓄電システム２１８を充電させるステップと、
所定の時間帯における前記需要家２００における買電可能容量を取得するステップと、
取得した前記買電可能容量をもとに、前記しきい値を決定するステップと、
を備える制御方法。
【０１０８】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【符号の説明】
【０１０９】
１０  電力系統、  ２０  ネットワーク、  １００  発電家、  １１０  電力メータ、  １１２  分電盤、  １１４  負荷機器、  １１６  太陽電池システム（電源装置）、  １１８  蓄電システム、  １２０  制御システム、  １２２  操作装置、  １４８  第１通信部、  １５０  制御部、  １５２  記憶部、  １５４  導出部、  １５６  取得部、  １５８  決定部、  １６０  受付部、  １６２  第２通信部（通信部）、  １６４  入力部、  １７０  処理部、  ２００  需要家、  ２１０  電力メータ、  ２１２  分電盤、  ２１４  負荷機器、  ２１８  蓄電システム、  ２２０  制御システム、  ２２２  操作装置、  ２４８  第１通信部、  ２５０  制御部、  ２５２  記憶部、  ２５４  導出部、  ２５６  取得部、  ２５８  決定部、  ２６０  受付部、  ２６２  第２通信部（通信部）、  ２６４  入力部、  ２７０  処理部、  ３００  サーバ、  ４００  送配電事業者、  ５００  小売電気事業者、  １０００  分散電源取引市場システム。
【図１】
2020010520.tif 000003
【図２】
2020010520.tif 000004
【図３】
2020010520.tif 000005
【図４】
2020010520.tif 000006
【図５】
2020010520.tif 000007
【図６】
2020010520.tif 000008
【図７】
2020010520.tif 000009
【図８】
2020010520.tif 000010
【図９】
2020010520.tif 000011
【図１０】
2020010520.tif 000012
【図１１】
2020010520.tif 000013
【図１２】
2020010520.tif 000014
【図１３】
2020010520.tif 000015